(57)【要約】【課題】適正な表示を容易に保つことのできる表示制御装置、表示装置、表示制御方法及びプログラムを提供する。【解決手段】表示制御装置は、表示部に対して駆動信号を出力する駆動部の動作を制御する制御部を備え、制御部は、駆動部を表示部の表示動作中における所定のタイミングで初期化動作させる。【選択図】図４
2018180316.tif 000002
【特許請求の範囲】
【請求項１】
表示部に対して駆動信号を出力する駆動部の動作を制御する制御部を備え、
前記制御部は、前記駆動部を前記表示部の表示動作中における所定のタイミングで初期化動作させる
ことを特徴とする表示制御装置。
【請求項２】
前記制御部は、前記表示部の表示動作に係る複数の表示モードのうち、設定されている表示モードの種別に応じた駆動信号を前記駆動部により出力させ、当該表示モードの切替タイミングのうち少なくとも一部で前記駆動部を初期化動作させることを特徴とする請求項１記載の表示制御装置。
【請求項３】
前記複数の表示モードには、第１の表示モードと、当該第１の表示モードよりも輝度を低下させ又は減色させる第２の表示モードとが含まれることを特徴とする請求項２記載の表示制御装置。
【請求項４】
前記制御部は、前記第２の表示モードでの表示から前記第１の表示モードでの表示に切り替わる切替タイミングで前記駆動部を初期化動作させることを特徴とする請求項３記載の表示制御装置。
【請求項５】
前記制御部は、前記表示部による表示内容が所定の割合以上切り替わるタイミングのうち少なくとも一部で前記駆動部を初期化動作させることを特徴とする請求項１〜４のいずれか一項に記載の表示制御装置。
【請求項６】
前記制御部は、前記表示部の表示動作中に所定の上限時間以上前記駆動部の初期化動作がなされなかった場合には、前記駆動部を初期化動作させることを特徴とする請求項４又は５記載の表示制御装置。
【請求項７】
前記制御部は、前記表示部の表示動作中に所定の時間間隔で前記駆動部を初期化動作させることを特徴とする請求項１記載の表示制御装置。
【請求項８】
前記駆動部は、前記表示部による表示動作に係る設定データを記憶するレジスタを有し、
前記制御部は、前記初期化動作時に当該レジスタの設定データを初期化させる
ことを特徴とする請求項１〜７のいずれか一項に記載の表示制御装置。
【請求項９】
前記駆動部は、前記表示部による表示動作に係る設定データを記憶するレジスタを有し、
前記設定データは、前記複数の表示モードについて共通に規定されており、
前記制御部は、前記初期化動作時に当該レジスタの設定データを初期化させる
ことを特徴とする請求項２〜４のいずれか一項に記載の表示制御装置。
【請求項１０】
前記設定データには、ガンマ補正に係る値が含まれることを特徴とする請求項８又は９記載の表示制御装置。
【請求項１１】
前記設定データは更新可能であり、
前記制御部は、前記駆動部の初期化動作時に前記レジスタに記憶させる設定データを直近の更新データに設定しなおす
ことを特徴とする請求項８〜１０のいずれか一項に記載の表示制御装置。
【請求項１２】
前記設定データの初期データを記憶保持する第１の記憶部と、
前記設定データの前記更新データを記憶保持する第２の記憶部と、
を備え、
前記制御部は、前記駆動部の初期化動作時に前記初期データにより前記設定データを初期化させ、前記第２の記憶部に前記更新データが記憶されている場合には、当該更新データを前記レジスタに設定する
ことを特徴とする請求項１１記載の表示制御装置。
【請求項１３】
請求項１〜１２のいずれか一項に記載の表示制御装置と、
前記表示部と、
前記駆動部と、
を備えることを特徴とする表示装置。
【請求項１４】
請求項２〜４、９のいずれか一項に記載の表示制御装置と、
前記表示部と、
前記駆動部と、
ユーザ操作を受け付ける操作受付部と、
を備え、
前記制御部は、前記操作受付部が所定の基準時間以上操作を受け付けていない場合に前記表示モードの切り替えを行うことを特徴とする表示装置。
【請求項１５】
請求項２〜４、９のいずれか一項に記載の表示制御装置と、
前記表示部と、
前記駆動部と、
前記表示部による表示内容をユーザが視認する場合に対応する自機の状態を検出する検出部と、
を備え、
前記制御部は、前記検出部が前記状態の検出有無に基づいて前記表示モードの切り替えを行うことを特徴とする表示装置。
【請求項１６】
身体に装着するための装着部を有することを特徴とする請求項１３〜１５のいずれか一項に記載の表示装置。
【請求項１７】
表示部に対して駆動信号を出力する駆動部の動作を制御する表示制御方法であって、
前記駆動部を前記表示部の表示動作中における所定のタイミングで初期化動作させる初期化ステップ
を含むことを特徴とする表示制御方法。
【請求項１８】
表示部に対して駆動信号を出力する駆動部の動作を制御する動作を行うコンピュータを、
前記駆動部を前記表示部の表示動作中における所定のタイミングで初期化動作させる初期化手段
として機能させることを特徴とするプログラム。
【発明の詳細な説明】
【技術分野】
【０００１】
この発明は、表示制御装置、表示装置、表示制御方法及びプログラムに関する。
【背景技術】
【０００２】
従来、表示画面に各種表示を行う表示装置がある。表示装置では、表示画面に表示動作を行わせる駆動回路（ドライバ）の駆動動作を表示制御部が制御して適切な表示を行わせる。
【０００３】
このとき、駆動回路は、表示画面の特性、視認状況や内容などに応じて適切な輝度（濃度）階調での表示を得るために、当該階調と、画像データに応じた印加電圧との関係（ガンマ値など）を正確に保持する必要がある。これらの関係を示すデータは、予め検査、取得されてテーブルデータなどとして記憶保持される（例えば、特許文献１）。
【先行技術文献】
【特許文献】
【０００４】
【特許文献１】特開２０１６−１３３６７０号公報
【発明の概要】
【発明が解決しようとする課題】
【０００５】
しかしながら、主に携帯型の表示装置では、表示制御装置は、表示画面の直近に置かれることが多い。これにより設定などを記憶するメモリに対する外部擾乱の遮蔽が不十分となって、表示に影響を及ぼすおそれがあるという課題がある。
【０００６】
この発明の目的は、適正な表示を容易に保つことのできる表示制御装置、表示装置、表示制御方法及びプログラムを提供することにある。
【課題を解決するための手段】
【０００７】
上記目的を達成するため、本発明は、
表示部に対して駆動信号を出力する駆動部の動作を制御する制御部を備え、
前記制御部は、前記駆動部を前記表示部の表示動作中における所定のタイミングで初期化動作させる
ことを特徴とする表示制御装置である。
【発明の効果】
【０００８】
本発明に従うと、表示装置における適切な表示を容易に保つことができるという効果がある。
【図面の簡単な説明】
【０００９】
【図１】スマートウォッチの正面図である。
【図２】スマートウォッチの機能構成を示すブロック図である。
【図３】スマートウォッチで切り替え可能な表示モードの一覧を示す図表である。
【図４】スマートウォッチで実行される表示制御処理の制御手順を示すフローチャートである。
【図５】スマートウォッチの表示ドライバで実行される表示駆動制御処理の制御手順を示すフローチャートである。
【図６】第２実施形態のスマートウォッチにおいて実行される表示制御処理の制御手順を示すフローチャートである。
【図７】第３実施形態のスマートウォッチにおいて実行される表示制御処理の制御手順を示すフローチャートである。
【発明を実施するための形態】
【００１０】
以下、本発明の実施の形態を図面に基づいて説明する。
［第１実施形態］
まず、本発明の表示制御装置の実施形態を含み、表示装置の実施形態であるスマートウォッチについて説明する。
図１は、スマートウォッチ１００の正面図である。
【００１１】
図１（ａ）に示すように、スマートウォッチ１００は、バンド２（装着部）を用いて本体部１をユーザの腕（身体）に装着可能な表示装置である。スマートウォッチ１００の本体部１は、フレーム３と、表示画面４などを備える。
【００１２】
フレーム３は、一の面に表示画面４を露出させて支持し、また、各種動作の実行制御に係る機能構成を内部に保持する。
【００１３】
表示画面４には、２枚の表示部が積層されている。図１（ｂ）に示すように、下部には、第１表示部１２（図２参照；本実施形態において、本発明の表示部に対応）の表示画面１２ａが設けられ、上部には、第２表示部２２（図２参照）の表示画面２２ａが設けられている。すなわち、図１（ａ）では、第１表示部１２により表示がなされ、第２表示部２２の表示画面２２ａが第１表示部１２による表示を透過させている状態を示している。
第２表示部２２の更に上部には、図示略のタッチセンサ（タッチパネル）が設けられてユーザ操作を受け付けることが可能となっている。フレーム３の側面には、押しボタンスイッチなどが設けられて、タッチセンサとともにユーザの操作を受付可能とされても良い。
【００１４】
第１表示部１２は、ＲＧＢ各色の表示が可能なドットマトリクスによるカラー液晶表示画面、例えば、ＴＦＴ液晶（Thin Film Transistor）による表示画面などを有し、ユーザの入力操作や各種プログラム動作などに応じて各種機能に係る種々の表示を切り替えて及び／又は並列に行う。
第２表示部２２は、第１表示部１２よりも低消費電力で簡略表示により時刻の表示が可能な表示画面を有し、例えば、セグメント方式による白黒液晶表示を行う。あるいは、第２表示部２２の表示画面２２ａには、メモリインピクセル液晶（ＭＩＰ液晶）が用いられても良いし、ＰＮ液晶（Polymer Network）などが用いられても良い。また、第２表示部２２の表示画面２２ａは、所定の電圧を印加することで表示を一切行わせずに第１表示部１２の表示内容を上方に透過させることができる。
【００１５】
これら第１表示部１２及び第２表示部２２の表示画面と後述の表示ドライバ１３、２３（図２参照）とは、一体的又は隣り合って設けられている。
【００１６】
図２は、スマートウォッチ１００の機能構成を示すブロック図である。
スマートウォッチ１００は、メインマイコン１１と、第１表示部１２及びその表示ドライバ１３と、操作受付部１４と、無線通信コントローラ１５と、外部記憶部１６と、サブマイコン２１と、第２表示部２２及びその表示ドライバ２３と、計測部２４（検出部）と、衛星電波受信モジュール２５と、ＰＭＩＣ３１（Power Management IC）などを備える。
【００１７】
メインマイコン１１は、メインＣＰＵ１１１と、ＲＡＭ１１２と、記憶部１１３（第２の記憶部）と、計時部１１４などを備え、本実施形態のスマートウォッチ１００における制御部のメインとなる部分である。メインマイコン１１は、ＰＭＩＣ３１を介して電源からの電力供給を受けて、第１表示部１２、表示ドライバ１３、操作受付部１４、無線通信コントローラ１５及び外部記憶部１６などの各部の動作を制御し、スマートウォッチ１００においてユーザ操作や設定などに応じて演算（データ処理）、通信、表示といった主だった機能動作を実行する。
【００１８】
メインＣＰＵ１１１は、各種演算処理を行い、スマートウォッチ１００の通常の動作状態における動作を統括制御する。また、メインＣＰＵ１１１は、サブマイコン２１から衛星電波受信モジュール２５や計測部２４の計測データを取得して種々の処理を行う。メインＣＰＵ１１１は、動作の必要がない場合には、自動で又は所定の入力操作に応じて一時的に動作が停止され得る。
ＲＡＭ１１２は、メインＣＰＵ１１１に作業用のメモリ空間を提供し、一時データを記憶する。
【００１９】
記憶部１１３は、メインＣＰＵ１１１の実行する制御プログラム（各種アプリケーションプログラム（アプリ）を含む）や設定データなどを記憶するフラッシュメモリなどの不揮発性メモリである。記憶部１１３に記憶される制御プログラムには、第１表示部１２の表示動作やメインマイコン１１の動作状態などの切り替えに係るプログラム１１３ａが含まれる。設定データとしては、第１表示部１２の表示設定、例えば、色調のユーザ設定データなどが含まれていて良い。この設定データには、後述のレジスタ１３２に記憶され、利用される設定データの直近の更新データが含まれ得る。また、記憶部１１３には、第１表示部１２に表示させる表示対象画像データが一時記憶される。
【００２０】
計時部１１４は、メインＣＰＵ１１１の制御に基づいて現在日時を計数する。計時部１１４は、カウンタなどを有し、メインマイコン１１の動作クロック周波数に応じて後述のＲＴＣ２１４よりも高精度な日時の計数を行う。
【００２１】
上述の第１表示部１２は、表示ドライバ１３からの駆動信号に応じて表示動作を行う。表示ドライバ１３は、主にメインマイコン１１（メインＣＰＵ１１１）の制御動作により表示動作がなされ、ここでは、メインマイコン１１が休止状態の間、併せて表示がオフされるが、限定的な表示内容については、サブマイコン２１（サブＣＰＵ２１１）による制御動作がなされることも可能とされて良い。
【００２２】
表示ドライバ１３は、メインマイコン１１やサブマイコン２１からの制御信号に基づいて、当該制御信号に応じた表示動作を第１表示部１２により行わせる。表示ドライバ１３は、駆動回路１３１と、レジスタ１３２と、制御回路１３３と、ＲＯＭ１３４（第１の記憶部）などを備える。
【００２３】
駆動回路１３１は、メインマイコン１１から表示対象画像の各画素データを取得し、ＲＧＢ各色の各階調の値を第１表示部１２の表示画面１２ａにおける輝度値、すなわち、液晶に印加される電圧値に変換して駆動信号として所定のタイミングで第１表示部１２に対して出力する。
【００２４】
レジスタ１３２には、第１表示部１２による表示動作に係る設定データが記憶される。設定データには、画素データの階調値を適切な輝度値に変換するための電圧値の対応テーブル（ガンマ補正に係る値やより細かくトーンカーブのデータ）といった第１表示部１２における表示動作に係る設定値が含まれる。レジスタ１３２に記憶されたこの設定値は、駆動回路１３１により参照されて各階調値に応じた電圧値を出力される設定に用いられる。これらの値は、後述の複数の表示モード（フルカラーモード及び減色モード）について共通に規定されているものである。ここでは、これらの設定値は、更新可能とされるが、全て又は一部が固定値であっても良い。
【００２５】
制御回路１３３は、第１表示部１２による画像表示動作に係る駆動信号の駆動回路１３１からの出力動作についての制御を行う。制御回路１３３は、メインマイコン１１からの制御信号に基づいて第１表示部１２による画像表示のオンオフ、輝度などの表示設定を切り替える。また、制御回路１３３は、表示ドライバ１３の動作開始時の初期設定や設定更新、及び動作停止時のシャットダウン処理や再起動、初期化などに係る各種動作を行う。制御回路１３３の制御動作は、ＣＰＵによるソフトウェア制御により行われても良いし、一部又は全部が専用のハードウェア回路により行われても良い。
【００２６】
ＲＯＭ１３４には、上述のガンマ補正に係る対応テーブルの初期値や輝度設定値の初期値など（初期データ）が記憶保持される。これらの初期値は、表示ドライバ１３の起動時に参照されてレジスタ１３２に書き込まれる。上述のように、これらの設定値の更新データは、記憶部１１３に記憶されており、表示ドライバ１３の起動時に初期値以外の値を再設定する場合には、起動後にメインマイコン１１から更新データが入力されてレジスタ１３２に書き込まれる。
【００２７】
表示ドライバ１３は、ＲＧＢ各色について所定階調、例えば、８ビット２５６階調、すなわち、全体で２４ビットカラー表示を第１表示部１２に行わせることが可能である。
これら表示ドライバ１３の各構成のうち、駆動回路１３１、レジスタ１３２及びＲＯＭ１３４が本発明の表示制御装置を有する表示装置の実施形態であるスマートウォッチ１００における駆動部を構成する。また、制御回路１３３とメインマイコン１１とによりスマートウォッチ１００における制御部、及び表示制御装置が構成される。
【００２８】
操作受付部１４は、上述のタッチセンサを含み、外部から（すなわちユーザ）の入力操作を受け付けて、操作内容を電気信号に変換してメインＣＰＵ１１１に出力する。タッチセンサへの入力操作があった場合にメインＣＰＵ１１１が休止している（スタンバイ状態である）場合には、この電気信号が動作再開信号となってメインＣＰＵ１１１の動作が再開される。
【００２９】
無線通信コントローラ１５は、外部の電子機器と無線通信を行うためのコントローラである。無線通信規格としては、特には限られないが、例えば、ブルートゥース（登録商標：Bluetooth）などの近距離無線通信や、無線ＬＡＮ（ＩＥＥＥ８０２．１１）などが挙げられる。メインマイコン１１（メインＣＰＵ１１１）は、無線通信コントローラ１５を介して外部から必要な情報やプログラム及びこれらの更新データなどを取得することができる。通信接続対象となる外部の電子機器としては、例えば、スマートフォン、携帯電話、タブレット端末やＰＤＡ（Personal Digital Assistant）などが挙げられるが、これらに限られない。
【００３０】
外部記憶部１６は、不揮発性の大容量ストレージであり、ナビゲーションや地図表示を行うための地図データなどを記憶する。この外部記憶部１６は、スマートウォッチ１００に内蔵されるものに限られず、フラッシュメモリなどの着脱可能な可搬型記録媒体（記憶媒体）が取り付けられて設けられているものであっても良い。また、この地図データは、予め記憶媒体などで提供されるものに限られず、ＷｉＦｉなどを用いてユーザが予め又は測位結果の変化に応じて取得された地図データが消去可能に随時追加記憶されるものであっても良い。
【００３１】
サブマイコン２１は、サブＣＰＵ２１１と、ＲＡＭ２１２と、記憶部２１３と、ＲＴＣ２１４（リアルタイムクロック）と、バッファメモリ２１５などを備える。サブマイコン２１は、ＰＭＩＣ３１を介して電源から電力供給を受けて動作する。また、サブマイコン２１は、第２表示部２２（すなわち、表示ドライバ２３）、計測部２４及び衛星電波受信モジュール２５の動作及びメインマイコン１１とのデータのやり取りを制御する。サブマイコン２１の消費電力（通常の動作時及び最大時；主にＣＰＵのＴＤＰ（熱設計電力）や、これにＲＡＭの容量及び枚数などの影響を加えたものを基準とすることができる）は、メインマイコン１１の消費電力（それぞれ通常の動作時及び最大時）よりも小さく、継続的に行われる動作を比較的小さい電力消費で行うためのサブの制御部である。
【００３２】
サブＣＰＵ２１１は、各種演算処理を行い、サブマイコン２１の動作を統括制御する。サブＣＰＵ２１１は、メインＣＰＵ１１１よりも低消費電力（ＴＤＰなど）であって、これに伴ってメインＣＰＵ１１１よりも低能力であって良い。サブＣＰＵ２１１は、ＰＭＩＣ３１からの電力供給が不足していない限り、ここでは、最低限の動作が維持される。なお、最低限の動作が所定の間隔で定期的に行われる場合には、当該所定の間隔で動作する期間以外の動作が休止されても（スタンバイ状態とされても）良い。
ＲＡＭ２１２は、サブＣＰＵ２１１に作業用のメモリ空間を提供し、一時データを記憶する。ＲＡＭ２１２は、サブＣＰＵ２１１が上述のように動作を間欠的に行う場合であっても、ＰＭＩＣ３１からの電力供給が正常に行われている限り、記憶データを保持する。
【００３３】
記憶部２１３は、サブＣＰＵ２１１の実行する制御プログラム（各種アプリを含む）や設定データなどを記憶するフラッシュメモリなどの不揮発性メモリである。この制御プログラムには、サブマイコン２１が制御する計測部２４や衛星電波受信モジュール２５の動作制御プログラムが含まれる。
【００３４】
ＲＴＣ２１４は、時刻の計時動作を行う通常のものであり、上述のように、メインマイコン１１の計時部１１４による計時動作よりも精度が低いが一方で当該計時部１１４よりも計時動作に係る消費電力が小さく、メインマイコン１１の停止時やサブマイコン２１のスタンバイ時などでも継続的に日時の計数を行う。
【００３５】
バッファメモリ２１５は、衛星電波受信モジュール２５により取得された測位結果を一時的に記憶する揮発性メモリであり、ＳＲＡＭ（Static RAM）などが用いられる。衛星電波受信モジュール２５により取得された測位結果は、一度バッファメモリ２１５に蓄えられ、設定された条件に応じたタイミングでメインマイコン１１に転送される。
【００３６】
第２表示部２２は、表示ドライバ２３からの駆動信号に応じて表示動作を行う。第２表示部２２は、上述のように、第１表示部１２よりも消費電力が低く、また、表示動作時には、時刻の表示に用いられる。表示画面にＭＩＰ液晶が用いられる場合には、第２表示部２２は、サブＣＰＵ２１１の制御により表示内容の更新周波数を落とすことができる。第２表示部２２による表示の内容は、主に現在の日時又はその一部、例えば、時分秒、曜日及び日付などであるが、これに限るものではない。
【００３７】
表示ドライバ２３は、サブマイコン２１から入力される表示対象画像データに応じた第２表示部２２の駆動動作を行い、第２表示部２２の表示画面２２ａに当該表示対象画像を表示させる。第２表示部２２による表示は、モノクロ二値表示であり、各画素（セグメントの場合も含む）の表示有無に応じた二値駆動信号の出力を行う。
【００３８】
計測部２４は、スマートウォッチ１００の運動状態（自機の状態）を示す物理量を計測するセンサを有する。計測部２４には、ここでは、加速度センサが含まれ、これに加えて方位センサ（地磁場センサ）や気圧センサ（高度センサとして用いられる）などが含まれても良い。また、計測部２４は、スマートウォッチ１００の所定の姿勢、ここでは、ユーザがスマートウォッチ１００の表示画面を見やすいように腕を眼前に掲げた場合の当該スマートウォッチ１００の傾斜状態を検出する傾斜センサを有している。
【００３９】
衛星電波受信モジュール２５は、サブマイコン２１（サブＣＰＵ２１１）の制御に基づいて、ＧＮＳＳ（Global Navigation Satellite System；全地球航法衛星システム）といった各種衛星測位システムに係る測位衛星からの電波を捕捉、受信して復調し、時刻を取得したり測位を行ったり（位置情報を取得）することが可能なモジュールである。
【００４０】
ＰＭＩＣ３１は、電源からメインマイコン１１及びサブマイコン２１への電力供給を制御する。ＰＭＩＣ３１は、例えば、メインマイコン１１及びサブマイコン２１への電力供給可否の切り替えスイッチや、出力電圧などを調整するＤＣ／ＤＣコンバータなどを備え、メインマイコン１１やサブマイコン２１の動作時に適切な電力をこれらに供給する。
【００４１】
次に、第１実施形態のスマートウォッチ１００における表示制御動作について説明する。
図３は、スマートウォッチ１００で切り替え可能な表示モードの一覧を示す図表である。
【００４２】
本実施形態のスマートウォッチ１００では、ユーザの使用（視認）状況などに応じて第１表示部１２の表示動作をオン状態とオフ状態との間で切り替えることができる。第１表示部１２による表示動作がオフの間には、第２表示部２２によるセーブモードでの表示動作が行われる。また、第１表示部１２による表示動作時には、更に、複数の表示モード、ここでは、２４ビットフルカラーモード（第１の表示モード）での表示と、所定の色数、例えば、２５６色での減色モード（第２の表示モード）との間での表示モードの種別に応じた表示の切り替えを行うことができる。また、フルカラーモードや減色モードの各々において、更に、液晶バックライトの輝度を増減（主に減色モードにおける輝度の低下）させることが可能であっても良い。
【００４３】
フルカラーモードと減色モードとの間での切り替えは、メインマイコン１１により行われ、選択されている表示モードでの表示対象画像データが生成されて記憶部１１３に一時記憶され、表示ドライバ１３に出力される。表示ドライバ１３は、入力された表示対象画像データに応じた駆動信号を第１表示部１２に出力することで、表示モードの種別に応じた駆動動作を第１表示部１２に対して行う。上記表示モードでは、フルカラーモードでの表示動作に係る電力消費が最も大きい。減色モードでは、カラーテーブルの設定に必要なメモリ容量がフルカラーモードより少なく、処理が簡略化される分消費電力が低下する。また、上述のように、第２表示部２２によるセーブモードでの表示動作は、第１表示部１２によるいずれの表示モードにおける表示動作よりも消費電力が小さい。
【００４４】
これら各表示モードの切り替えは、ユーザによる操作受付部１４への各種入力操作、計測部２４の傾斜センサによるユーザの表示画面４の視認動作の検出や、加速度センサによるユーザのスマートウォッチ１００の移動（使用）検出有無などに基づいて切り替えられる。例えば、フルカラーモードでの表示状態で、操作受付部１４に対して入力操作が何らなされず、かつ傾斜センサによりユーザによる視認状態にないと判別される状態が所定の基準時間（例えば、３０秒）以上継続した場合には、表示内容自体を変更せずに、減色モードに移行させることができる。また、メインマイコン１１の動作を休止状態に移行させる所定の操作が操作受付部１４により受け付けられた場合や、所定時間（例えば、３０分）以上スマートウォッチ１００の運動が計測部２４の加速度センサにより検出されなかった場合などには、当該メインマイコン１１の休止状態への移行に合わせて第１表示部１２による表示動作も停止されて、第２表示部２２によるセーブモードでの表示動作に切り替えられる。
【００４５】
メインマイコン１１とサブマイコン２１との間では、メインマイコン１１の動作状態や第１表示部１２の表示状態の切り替えに係る信号が必要に応じてやり取りされる。これにより、第１表示部１２による表示が中止される場合には、サブマイコン２１が速やかに第２表示部２２による表示動作を開始させ、第１表示部１２による表示が開始される場合には、サブマイコン２１が第２表示部２２による表示動作を終了させる。
【００４６】
一方、減色モードやセーブモードにおいて、ユーザによる表示画面４の視認動作の検出や、メインマイコン１１の再起動に係る操作受付部１４への所定の入力操作が検出された場合には、メインマイコン１１の制御により第１表示部１２による表示動作が再開され、また、減色モードからフルカラーモードに復帰する。
【００４７】
スマートウォッチ１００では、第１表示部１２による表示動作中において、所定のタイミングで駆動回路１３１及びレジスタ１３２（駆動部）のリセット動作（初期化動作）、又は表示ドライバ１３全体のリセット動作が行われる。上述のように、レジスタ１３２には、ガンマ補正データが記憶され、第１表示部１２による表示動作が継続されている間、場合によっては長時間保持されて画像表示に利用される。このような場合に、人体との接触時間の長いスマートウォッチ１００では、表示画面などを透過する静電気によりレジスタ１３２やその駆動回路１３１への出力データに影響を及ぼす場合があり得るので、適宜な間隔などで駆動部又は表示ドライバ１３全体を初期化し（表示ドライバ１３全体の場合には再起動することになる）、レジスタ１３２に記憶されている設定データも初期化（すなわち初期値を再設定）する。ここでは、表示状態に極力影響を与えないため、表示モードの切替タイミングや第１表示部１２への表示内容が大きく切り換わるタイミングで初期化動作が行われる。
なお、駆動部又は表示ドライバ１３全体の初期化においては、図示しないラッチ回路のリセット動作も行われて良い。
【００４８】
図４は、本実施形態のスマートウォッチ１００で実行される第１表示部１２による表示制御処理のメインマイコン１１による制御手順を示すフローチャートである。
この表示制御処理は、第１表示部１２による表示動作がオンされるタイミングで起動される。
【００４９】
表示制御処理が開始されるとメインマイコン１１（メインＣＰＵ１１１）は、表示ドライバ１３及び第１表示部１２に電力供給を開始させ、表示ドライバ１３を起動させる（ステップＳ１０１）。メインマイコン１１は、ガンマ補正などに係る設定データを有しているか否かを判別する（ステップＳ１０２）。有していると判別された場合には（ステップＳ１０２で“ＹＥＳ”）、メインマイコン１１は、当該設定を表示ドライバ１３に出力する（ステップＳ１０３）。それから、メインマイコン１１による処理は、ステップＳ１０４に移行する。設定を有していないと判別された場合には（ステップＳ１０２で“ＮＯ”）、メインマイコン１１による処理は、ステップＳ１０４に移行する。
【００５０】
ステップＳ１０４の処理に移行すると、メインマイコン１１は、第１表示部１２による表示動作をオフにする条件が満たされたか否かを判別する（ステップＳ１０４）。満たされたと判別された場合には（ステップＳ１０４で“ＹＥＳ”）、メインマイコン１１は、表示ドライバ１３に制御信号を出力して第１表示部１２による表示動作を停止させる。また、メインマイコン１１は、表示ドライバ１３の動作を停止させる（ステップＳ１１１）。そして、メインマイコン１１は、表示制御処理を終了する。
【００５１】
第１表示部１２による表示動作をオフにする条件が満たされていないと判別された場合には（ステップＳ１０４で“ＮＯ”）、メインマイコン１１は、表示画面１２ａに表示させる表示対象画像データを生成する（ステップＳ１０５）。メインマイコン１１は、表示内容の変更又は表示モードの変更があるか否かを判別する（ステップＳ１０６）。ここで、表示内容の変更とは、異なる機能（アプリ）に係る表示の切り替えや、同機能内でも表示内容が例えば所定の割合（１０％〜５０％など）以上切り替わるといった大きな変更を意味し、同一の表示対象についての計時的な細かい変化などを含まないこととすることができる。表示内容の変更及び表示モードの変更のいずれもないと判別された場合には（ステップＳ１０６で“ＮＯ”）、メインマイコン１１の処理は、ステップＳ１１０に移行する。
【００５２】
表示内容の変更又は表示モードの変更があると判別された場合には（ステップＳ１０６で“ＹＥＳ”）、メインマイコン１１は、表示ドライバ１３に対してレジスタ１３２の初期化を要求する（ステップＳ１０７）。メインマイコン１１は、レジスタ１３２の設定値に係る設定データを有している（ここでは、更新データが記憶部１１３に記憶されている）か否かを判別する（ステップＳ１０８）。有していないと判別された場合には（ステップＳ１０８で“ＮＯ”）、メインマイコン１１の処理は、ステップＳ１１０に移行する。
【００５３】
レジスタ１３２の設定値を有していると判別された場合には（ステップＳ１０８で“ＹＥＳ”）、メインマイコン１１は、表示ドライバ１３が正常に起動した後、表示ドライバ１３に設定データの更新要求を出力し、この設定値（更新データ）を表示ドライバ１３に出力する（ステップＳ１０９）。それから、メインマイコン１１の処理は、ステップＳ１１０に移行する。
【００５４】
ステップＳ１１０の処理に移行すると、メインマイコン１１は、表示対象画像の画像データを含む制御信号を表示ドライバ１３に対して出力して、第１表示部１２により表示対象画像の表示を行わせる（ステップＳ１１０）。それから、メインマイコン１１の処理は、ステップＳ１０４に戻る。
【００５５】
図５は、スマートウォッチ１００の表示ドライバ１３で実行される表示駆動制御処理の制御回路１３３による制御手順を示すフローチャートである。この表示駆動制御処理は、表示ドライバ１３の起動とともに起動される。
【００５６】
表示駆動制御処理が開始されると、制御回路１３３は、ＲＯＭ１３４を参照してレジスタ１３２などの初期設定を行う（ステップＳ１４１）。制御回路１３３は、メインマイコン１１から設定データ又は設定データの更新要求の入力があったか否かを判別する（ステップＳ１４２）。設定データの入力又は設定データの更新要求があったと判別された場合には（ステップＳ１４２で“ＹＥＳ”）、制御回路１３３は、レジスタ１３２の設定を更新させる（ステップＳ１４３）。この場合、制御回路１３３は、入力された設定データを取得して、更にレジスタ１３２に書き込む動作を行っても良いし、更新要求などに応じて直接メインマイコン１１からレジスタ１３２の所定のアドレスに設定データを入力可能に切り替えても良い。それから、制御回路１３３の処理は、ステップＳ１４４に移行する。設定データ又は設定データの更新要求の入力がないと判別された場合には（ステップＳ１４２で“ＮＯ”）、制御回路１３３の処理は、ステップＳ１４４に移行する。
【００５７】
ステップＳ１４４に移行すると、制御回路１３３は、駆動回路１３１の動作を開始させ、メインマイコン１１から入力される画像データに応じた画像を第１表示部１２に表示させる動作を行わせる（ステップＳ１４４）。
【００５８】
制御回路１３３は、メインマイコン１１から設定データ又は設定データの更新要求の入力があったか否かを判別する（ステップＳ１４５）。設定データの入力又は設定データの更新要求があったと判別された場合には（ステップＳ１４５で“ＹＥＳ”）、制御回路１３３は、レジスタ１３２の設定を更新させることで設定データを設定しなおす（ステップＳ１４６）。それから、制御回路１３３の処理は、ステップＳ１４７に移行する。設定データの入力がないと判別された場合には（ステップＳ１４５で“ＮＯ”）、制御回路１３３の処理は、ステップＳ１４７に移行する。
【００５９】
ステップＳ１４７の処理に移行すると、制御回路１３３は、第１表示部１２による表示動作の終了命令が取得されたか、又はレジスタ１３２の初期化動作の命令が取得されたかを判別する（ステップＳ１４７）。いずれかが取得されたと判別された場合には（ステップＳ１４７で“ＹＥＳ”）、制御回路１３３は、駆動回路１３１の動作停止処理を行う（ステップＳ１４８）。また、制御回路１３３は、自身の動作を停止させて表示駆動制御処理を終了する。レジスタ１３２の初期化動作の命令の場合には、この後直ちに制御回路１３３が再起動されて表示駆動制御処理も再開される。
【００６０】
表示動作の終了命令とレジスタ１３２の初期化動作の命令のいずれも取得されていないと判別された場合には（ステップＳ１４７で“ＮＯ”）、制御回路１３３の処理は、ステップＳ１４５に戻る。
【００６１】
なお、ここでは、フロー制御として示したが、ハードウェア回路によりこれらの処理がなされる場合には、割り込み入力された命令に従って、レジスタ１３２の初期設定及び設定更新に切り替える処理と、駆動回路１３１の動作を開始及び終了させる処理とが開始されれば良い。
メインマイコン１１におけるステップＳ１０７〜Ｓ１０９の処理及び制御回路１３３におけるステップＳ１４１〜Ｓ１４３の処理が本発明の表示制御方法の実施形態における初期化ステップ、本発明のプログラムの実施形態における初期化手段にそれぞれ対応する。
【００６２】
以上のように、表示制御装置の本実施形態のスマートウォッチ１００は、第１表示部１２に対して駆動信号を出力する駆動部（駆動回路１３１及びレジスタ１３２）の動作を制御する制御部（メインマイコン１１及び制御回路１３３）を備え、制御部は、駆動部を第１表示部１２の表示動作中における所定のタイミングで初期化動作させる。
このように駆動部を第１表示部１２による表示動作中に適宜初期化させることで、表示動作中に静電気などによりレジスタ１３２から駆動回路１３１にかけて生じ得る設定データの問題があまり大きくならないうちに正常化し、表示に悪影響を及ぼすのを抑えることができる。これにより、表示装置における表示を容易に適正な状態に保つことができる。
【００６３】
また、制御部は、第１表示部１２の表示動作に係る複数の表示モードのうち、設定されている表示モードの種別に応じた駆動信号を駆動部により出力させ、当該表示モードの切替タイミングのうち少なくとも一部で駆動部を初期化動作させる。
このように表示モードの切替タイミングにあわせて駆動部の初期化動作を行わせることで、初期化動作中に表示が一瞬途切れることによるユーザの違和感を効果的に抑制することができる。
【００６４】
また、複数の表示モードには、フルカラーモードと、当該フルカラーモードよりも輝度を低下させ又は減色させる減色モードとが含まれる。
このように、特に、スマートウォッチ１００のような携帯型の表示装置では、ユーザが表示内容を視認していない状況では電力消費の低減を目的として頻繁に表示モードを減色モードに切り替えるので、大きな間隔を開けずに設定データの読み込みを適正な状態に正すことができる。
【００６５】
また、制御部は、減色モードでの表示からフルカラーモードでの表示に切り替わる切替タイミングで駆動部を初期化動作させる。このように、特にユーザが表示内容を視認し、また、表示色の階調数の大きい表示モードに切り替わるタイミングで初期化動作をさせることで、表示内容を視認するユーザに違和感を与えるような表示が生じる可能性を十分に低減させて適正な表示を行わせることができる。
【００６６】
また、制御部は、第１表示部１２による表示内容が所定の割合以上切り替わるタイミングのうち少なくとも一部で駆動部を初期化動作させる。このように、表示モードの切り替わりがない場合や、長時間間隔が開く場合でも、表示内容が大きく切り替わるタイミングに合わせて初期化動作を行わせることで、当該初期化動作に伴う画像表示の途切れに係るユーザへの違和感を最小限に抑制することができる。
【００６７】
また、駆動部は、第１表示部１２による表示動作に係る設定データを記憶するレジスタ１３２を有し、制御部は、初期化動作時に当該レジスタ１３２の設定データを初期化させる。
すなわち、初期化動作時にＲＯＭ１３４に記憶保持された初期値によりレジスタ１３２の設定データを再設定させることで、レジスタ１３２の設定値自体に問題が生じていても初期化動作に伴って正しい初期値に戻されるので、表示画像を適正なものとすることができる。
【００６８】
また、レジスタ１３２に記憶される設定データは、複数の表示モードについて共通に規定されているものである。すなわち、この初期化動作時における設定データの再設定は、画像表示モードの変更に伴って意図的にコントラストや色調などの表示設定を変更するためのものではない。このような再設定を適宜な間隔で行われる初期化動作時に行わせることで、表示画像の乱れやユーザの違和感の発生を最小限に抑えて容易に適正な表示を継続的におこなわせることが可能となる。
【００６９】
また、設定データには、ガンマ補正に係る値が含まれる。
表示に用いられるＲＧＢ各色の階調値は、多くの場合全てが用いられるわけではなく、また、階調自体に必須な情報が含まれていない表示画像も多いので、多少のずれなどでは表示画像に大きな影響を及ぼさないことが多いが、このようなずれが増えると表示画像に違和感が生じるなどの問題が生じ得るので、適宜な間隔で初期化、再設定することで、容易に適正な表示を長時間保つことが可能になる。
【００７０】
また、設定データは更新可能であり、制御部は、駆動部の初期化動作時にレジスタ１３２に対して記憶させる設定データを直近の更新データに設定しなおす。
このように、初期化動作時に設定データを更新可能な場合には、初期値に戻すだけでなく、更新値に設定しなおすことで、表示画像の色調などが変化するのを防止することができ、したがって、設定データに基づく適正な表示を長時間保つことができる。
【００７１】
また、設定データの初期データを記憶保持するＲＯＭ１３４と、設定データの更新データを記憶保持する記憶部１１３と、を備え、制御部は、駆動部の初期化動作時に初期データによりレジスタ１３２の設定データを初期化させ、記憶部１１３に更新データが記憶されている場合には、当該更新データをレジスタ１３２に設定する。
このように、初期データと更新データとを別個に保持し、更新後にも初期データを消去しない構成とすることで、容易に初期データに戻す初期化動作を容易に可能としつつ、このような適正な表示を維持する場合の初期化動作時には更新された設定データに基づいて表示を変化させないこととすることができる。
【００７２】
また、本実施形態のスマートウォッチ１００は、上述の表示制御装置に係る制御部の構成と、第１表示部１２と、駆動部と、を備える。
このような表示装置では、ユーザの静電気などの表示画像への影響を抑え、容易に適正な表示を保つことができる。
【００７３】
また、スマートウォッチ１００は、ユーザ操作を受け付ける操作受付部１４を備え、制御部は、操作受付部１４が所定の基準時間以上操作を受け付けていない場合（ここでは、同時に計測部２４によりユーザによる表示画面４の視認状態ではないと判別される場合）に表示モードを減色モードに切り替え、当該表示モードの切替タイミングでの駆動部の初期化動作を行う。
このように、スマートウォッチ１００は、ユーザの操作によるガンマ補正などの設定データの変更とは別に、制御部の自発的な動作として駆動部の初期化動作や設定データの再設定などがなされる。これにより、表示装置としてのスマートウォッチ１００では、ユーザの手間をかけずに容易に適正な表示状態を保つことができる。
【００７４】
また、スマートウォッチ１００は、第１表示部１２による表示内容をユーザが視認する場合に対応する自機の特定の傾き状態を検出する計測部２４（特に傾斜センサ）を備え、制御部は、計測部２４が自機の特定の傾き状態の検出有無に基づいて表示モードの切り替えを行い、また、当該表示モードの切り替えに伴う駆動部の初期化動作を行う。
このように、スマートウォッチ１００では、ユーザの視認状況、特に、表示画面４の視認動作の開始時に合わせて表示モードの切り替え及び駆動部の初期化動作を行うことで、適切に電力消費を制御しながらユーザの視認時にフルカラーモードで適正な表示をおこなわせることが可能になる。
【００７５】
また、スマートウォッチ１００は、身体（ここでは腕）に装着するためのバンド２を有する。このように、ユーザの身体に装着される表示装置において、特に本発明の各構成を有し、また、各制御動作がなされることで、ユーザとの接触に基づく静電気（電荷や高電圧）の影響を適切に低減し、適正な表示を長時間維持することができる。
【００７６】
また、本実施形態の表示制御方法は、第１表示部１２に対して駆動信号を出力する駆動部の動作を制御する表示制御方法であって、駆動部を第１表示部１２の表示動作中における所定のタイミングで初期化動作させる初期化ステップを含む。
このように駆動部を第１表示部１２による表示動作中に適宜初期化させることで、表示動作中に静電気などによりレジスタ１３２から駆動回路１３１にかけて生じ得る設定データの問題があまり大きくならないうちに正常化し、表示に悪影響を及ぼすのを抑えることができる。これにより、表示を容易に適正な状態に保つことができる。
【００７７】
同様に、本実施形態のプログラム１１３ａは、第１表示部１２に対して駆動信号を出力する駆動部の動作を制御する動作を行うメインマイコン１１を、駆動部を第１表示部１２の表示動作中における所定のタイミングで初期化動作させる初期化手段として機能させる。
このように駆動部を第１表示部１２による表示動作中に適宜初期化させることで、表示動作中に静電気などによりレジスタ１３２から駆動回路１３１にかけて生じ得る設定データの問題があまり大きくならないうちに正常化し、表示に悪影響を及ぼすのを抑えることができる。これにより、表示を容易に適正な状態に保つことができる。
【００７８】
［第２実施形態］
次に、第２実施形態のスマートウォッチについて説明する。
第２実施形態のスマートウォッチ１００の構成は、第１実施形態のスマートウォッチ１００と同一であり、同一の符号を用いることとして説明を省略する。
【００７９】
図６は、第２実施形態のスマートウォッチ１００において実行される表示制御処理のメインマイコン１１による制御手順を示すフローチャートである。
この表示制御処理は、第１実施形態のスマートウォッチ１００において実行される表示制御処理と比較して、ステップＳ１２１が追加された点を除いて同一であり、同一の処理内容には同一の符号を付して詳しい説明を省略する。
【００８０】
ステップＳ１０６において、表示内容の変更及び表示モードの変更のいずれもないと判別された場合（ステップＳ１０６で“ＮＯ”）、メインマイコン１１（メインＣＰＵ１１１）は、前回の表示ドライバ１３の初期化動作が行われてから所定の上限時間が経過したか否かを判別する（ステップＳ１２１）。この前回の初期化動作としては、ステップＳ１０１〜Ｓ１０３で表示ドライバ１３の起動時に行われたものと、ステップＳ１０７で要求して行われたものの両方を含む。上限時間が経過していると判別された場合には（ステップＳ１２１で“ＹＥＳ”）、メインマイコン１１の処理は、ステップＳ１０７に移行する。上限時間が経過していないと判別された場合にはメインマイコン１１の処理は、ステップＳ１１０に移行する。
【００８１】
以上のように、第２実施形態のスマートウォッチ１００では、制御部（メインマイコン１１及び制御回路１３３）は、第１表示部１２の表示動作中に所定の上限時間以上駆動部（駆動回路１３１及びレジスタ１３２）の初期化動作がなされなかった場合には、駆動部を初期化動作させる。
このように、第１実施形態のスマートウォッチ１００と同様に行われる表示モードの切替タイミングや表示内容の大きな変更タイミングにおける駆動部の初期化動作に加えて、このような切り替えや変更がない場合でも最低限の時間間隔では初期化動作がなされるようにすることで、表示に大きな問題が生じるほどの設定データの変化を抑え、容易に適正な表示状態を維持することができる。
【００８２】
［第３実施形態］
次に、第３実施形態のスマートウォッチについて説明する。
第３実施形態のスマートウォッチ１００の構成は、第１実施形態のスマートウォッチ１００と同一であり、同一の符号を用いることとして説明を省略する。
【００８３】
図７は、第３実施形態のスマートウォッチ１００において実行される表示制御処理のメインマイコン１１による制御手順を示すフローチャートである。
この表示制御処理は、第１実施形態のスマートウォッチ１００において実行される表示制御処理と比較して、ステップＳ１０６の処理の代わりにステップＳ１２１ａの処理が実行される点を除いて同一であり、同一の処理内容には同一の符号を付して詳しい説明を省略する。
【００８４】
ステップＳ１０５の処理の後、メインマイコン１１（メインＣＰＵ１１１）は、前回の表示ドライバ１３の初期化動作が行われてから予め定められた所定の時間間隔に応じた時間が経過したか否かを判別する（ステップＳ１２１ａ）。この前回の初期化動作としては、ステップＳ１０１〜Ｓ１０３で表示ドライバ１３の起動時に行われたものと、ステップＳ１０７で要求して行われたものの両方を含む。所定時間が経過していると判別された場合には（ステップＳ１２１ａで“ＹＥＳ”）、メインマイコン１１の処理は、ステップＳ１０７に移行する。所定時間が経過していないと判別された場合にはメインマイコン１１の処理は、ステップＳ１１０に移行する。
【００８５】
以上のように、第３実施形態のスマートウォッチ１００では、制御部（メインマイコン１１及び制御回路１３３）は、第１表示部１２の表示動作中に所定の時間間隔で駆動部（駆動回路１３１及びレジスタ１３２）を初期化動作させる。
このように、表示動作中に定期的に初期化動作させることで、表示画面が長時間大きく切り替わらないような場合でも表示画像の画質に大きな問題を生じさせないうちに適切に駆動部を正常な状態として容易に適正な表示を保つことができる。
【００８６】
なお、本発明は、上記実施の形態に限られるものではなく、様々な変更が可能である。
例えば、上記実施の形態では、フルカラーモードと減色モードの２種類を第１表示部１２の表示モードとして示し、また、輝度を低下させるモードがあっても良い旨示したが、これ以外の表示モードがあっても良い。
また、減色モードは一種類だけではなく、複数種類、例えば、２５６色とモノクロ１６階調などが定められていても良い。
【００８７】
また、上記実施の形態では、ＲＧＢ各色の階調値に応じた電圧値をレジスタ１３２に記憶させて所望の輝度を得る構成としたが、電圧を固定し、デューティ駆動（チョッパ動作）により所望の輝度を得る構成であっても良い。この場合、レジスタ１３２には、階調値とデューティ比との対応関係を示す対応テーブルが記憶される。
【００８８】
また、上記実施の形態では、表示モードの切り替わりタイミングと表示内容の大きな変更のタイミングとを初期化動作のタイミングとして示したが、いずれか一方であっても良い。また、表示モードの切り替わりタイミングのうち、減色モードからフルカラーモードに切り替わる場合にのみ初期化動作が行われても良い。また、各機能に係る表示ごとに初期化動作が行われてもよい条件などが予め定められていても良い。
【００８９】
また、上記実施の形態では、レジスタ１３２の設定データが各表示モードについて共通としたが、表示モードごとに異なる設定のものが含まれていても良い。本発明では、これらの場合でも、単に設定データの再設定を行うだけでなく、適宜駆動部の初期化動作が行われる。
【００９０】
また、上記実施の形態では、ＲＯＭ１３４を表示ドライバ１３内に保持することとしたが、初期設定データもメインマイコン１１から出力してレジスタ１３２に設定させることとしても良い。あるいは、反対に、表示ドライバ１３が更新設定データを記憶する不揮発性メモリを有していても良い。
【００９１】
また、上記実施の形態では、制御部としてメインマイコン１１と表示ドライバ１３の制御回路１３３とを含む構成として説明したが、表示ドライバ１３では、メインマイコン１１から制御信号に応じた動作を行うのみとして制御動作に係る構成を有しないこととしても良い。あるいは、反対に、メインマイコン１１からの表示対象画像データなどに基づいて制御回路１３３が独自に初期化動作の要否及びタイミングを判断しても良い。
【００９２】
また、上記実施の形態では、操作受付部１４や計測部２４を有するスマートウォッチ１００を例に挙げて説明したが、これらの少なくとも一方を有しない表示装置や、単純に外部機器から画像データの配信を受けて表示する表示装置（モニタ装置）であっても良い。また、表示制御装置は、このような表示装置に表示画像を出力させる当該表示装置とは独立した装置であっても良い。また、計測部２４として、傾斜センサ以外のセンサを用いてユーザによる表示画面４の視認状況やスマートウォッチ１００の使用状況を判断しても良い。
【００９３】
また、上記実施の形態では、腕装着型の表示装置を例に挙げて説明したが、その他の部位に装着する表示装置、例えば、グラス（眼鏡）型、ゴーグル型などの表示装置であっても良い。また、身体装着型以外の表示装置、主に携帯型のものや、これらの中間、例えば、ヘッドマウントディスプレイなどであっても本発明を適用することができる。
【００９４】
また、上記実施の形態では、表示部として液晶表示画面を有するものを例に挙げて説明したが、有機ＥＬディスプレイなど他の表示画面を有するものであっても良い。
【００９５】
また、以上の説明では、本発明に係るメインＣＰＵ１１１（メインマイコン１１）の処理動作に係る表示制御処理のプログラム１１３ａを記憶するコンピュータ読み取り可能な媒体として不揮発性メモリを有する記憶部１１３を例に挙げて説明したが、これに限定されない。その他のコンピュータ読み取り可能な媒体として、ＨＤＤ（Hard Disk Drive）や、ＣＤ−ＲＯＭやＤＶＤディスクなどの可搬型記録媒体を適用することが可能である。また、本発明に係るプログラムのデータを通信回線を介して提供する媒体として、キャリアウェーブ（搬送波）も本発明に適用される。
その他、上記実施の形態で示した構成、制御内容や手順などの具体的な細部は、本発明の趣旨を逸脱しない範囲において適宜変更可能である。
【００９６】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００９７】
［付記］
＜請求項１＞
表示部に対して駆動信号を出力する駆動部の動作を制御する制御部を備え、
前記制御部は、前記駆動部を前記表示部の表示動作中における所定のタイミングで初期化動作させる
ことを特徴とする表示制御装置。
＜請求項２＞
前記制御部は、前記表示部の表示動作に係る複数の表示モードのうち、設定されている表示モードの種別に応じた駆動信号を前記駆動部により出力させ、当該表示モードの切替タイミングのうち少なくとも一部で前記駆動部を初期化動作させることを特徴とする請求項１記載の表示制御装置。
＜請求項３＞
前記複数の表示モードには、第１の表示モードと、当該第１の表示モードよりも輝度を低下させ又は減色させる第２の表示モードとが含まれることを特徴とする請求項２記載の表示制御装置。
＜請求項４＞
前記制御部は、前記第２の表示モードでの表示から前記第１の表示モードでの表示に切り替わる切替タイミングで前記駆動部を初期化動作させることを特徴とする請求項３記載の表示制御装置。
＜請求項５＞
前記制御部は、前記表示部による表示内容が所定の割合以上切り替わるタイミングのうち少なくとも一部で前記駆動部を初期化動作させることを特徴とする請求項１〜４のいずれか一項に記載の表示制御装置。
＜請求項６＞
前記制御部は、前記表示部の表示動作中に所定の上限時間以上前記駆動部の初期化動作がなされなかった場合には、前記駆動部を初期化動作させることを特徴とする請求項４又は５記載の表示制御装置。
＜請求項７＞
前記制御部は、前記表示部の表示動作中に所定の時間間隔で前記駆動部を初期化動作させることを特徴とする請求項１記載の表示制御装置。
＜請求項８＞
前記駆動部は、前記表示部による表示動作に係る設定データを記憶するレジスタを有し、
前記制御部は、前記初期化動作時に当該レジスタの設定データを初期化させる
ことを特徴とする請求項１〜７のいずれか一項に記載の表示制御装置。
＜請求項９＞
前記駆動部は、前記表示部による表示動作に係る設定データを記憶するレジスタを有し、
前記設定データは、前記複数の表示モードについて共通に規定されており、
前記制御部は、前記初期化動作時に当該レジスタの設定データを初期化させる
ことを特徴とする請求項２〜４のいずれか一項に記載の表示制御装置。
＜請求項１０＞
前記設定データには、ガンマ補正に係る値が含まれることを特徴とする請求項８又は９記載の表示制御装置。
＜請求項１１＞
前記設定データは更新可能であり、
前記制御部は、前記駆動部の初期化動作時に前記レジスタに記憶させる設定データを直近の更新データに設定しなおす
ことを特徴とする請求項８〜１０のいずれか一項に記載の表示制御装置。
＜請求項１２＞
前記設定データの初期データを記憶保持する第１の記憶部と、
前記設定データの前記更新データを記憶保持する第２の記憶部と、
を備え、
前記制御部は、前記駆動部の初期化動作時に前記初期データにより前記設定データを初期化させ、前記第２の記憶部に前記更新データが記憶されている場合には、当該更新データを前記レジスタに設定する
ことを特徴とする請求項１１記載の表示制御装置。
＜請求項１３＞
請求項１〜１２のいずれか一項に記載の表示制御装置と、
前記表示部と、
前記駆動部と、
を備えることを特徴とする表示装置。
＜請求項１４＞
請求項２〜４、９のいずれか一項に記載の表示制御装置と、
前記表示部と、
前記駆動部と、
ユーザ操作を受け付ける操作受付部と、
を備え、
前記制御部は、前記操作受付部が所定の基準時間以上操作を受け付けていない場合に前記表示モードの切り替えを行うことを特徴とする表示装置。
＜請求項１５＞
請求項２〜４、９のいずれか一項に記載の表示制御装置と、
前記表示部と、
前記駆動部と、
前記表示部による表示内容をユーザが視認する場合に対応する自機の状態を検出する検出部と、
を備え、
前記制御部は、前記検出部が前記状態の検出有無に基づいて前記表示モードの切り替えを行うことを特徴とする表示装置。
＜請求項１６＞
身体に装着するための装着部を有することを特徴とする請求項１３〜１５のいずれか一項に記載の表示装置。
＜請求項１７＞
表示部に対して駆動信号を出力する駆動部の動作を制御する表示制御方法であって、
前記駆動部を前記表示部の表示動作中における所定のタイミングで初期化動作させる初期化ステップ
を含むことを特徴とする表示制御方法。
＜請求項１８＞
表示部に対して駆動信号を出力する駆動部の動作を制御する動作を行うコンピュータを、
前記駆動部を前記表示部の表示動作中における所定のタイミングで初期化動作させる初期化手段
として機能させることを特徴とするプログラム。
【符号の説明】
【００９８】
１     本体部
２     バンド
３     フレーム
４     表示画面
１１   メインマイコン
１１１ メインＣＰＵ
１１２ ＲＡＭ
１１３ 記憶部
１１３ａ      プログラム
１１４ 計時部
１２   第１表示部
１２ａ 表示画面
１３   表示ドライバ
１３１ 駆動回路
１３２ レジスタ
１３３ 制御回路
１３４ ＲＯＭ
１４   操作受付部
１５   無線通信コントローラ
１６   外部記憶部
２１   サブマイコン
２１１ サブＣＰＵ
２１２ ＲＡＭ
２１３ 記憶部
２１４ ＲＴＣ
２１５ バッファメモリ
２２   第２表示部
２２ａ 表示画面
２３   表示ドライバ
２４   計測部
２５   衛星電波受信モジュール
１００ スマートウォッチ
【図１】
2018180316.tif 000003
【図２】
2018180316.tif 000004
【図３】
2018180316.tif 000005
【図４】
2018180316.tif 000006
【図５】
2018180316.tif 000007
【図６】
2018180316.tif 000008
【図７】
2018180316.tif 000009